(57)【要約】【課題】連結部材を安定して引き上げることができ、かつ、水栓の配管作業時に連結部材が邪魔になることがなく、固定台座の配管挿入用開口部の内部を広く使うことができる水栓用固定具、及び、この水栓用固定具に取り付けられた水栓を提供する。【解決手段】本発明の水栓用固定具１は、固定台座６と、挟み込み部材８と、第１ボルト１０と、第２ボルト１２と、連結部材１４と、を有し、この連結部材をつまんで引き上げることにより挟み込み部材を引き上げることができ、その引き上げた状態で固定台座と挟み込み部材が第１ボルトと第２ボルトにより取付基体に固定可能であり、固定台座の配管挿入用開口部６ｅの内周縁には、第１挿入孔６ａと第２挿入孔６ｂとの間の連結部材１４を格納する格納部６ｆが設けられていることを特徴としている。【選択図】図２
2010013852.tif 000002
【特許請求の範囲】
【請求項１】
水栓が取り付けられる取付基体に水栓を固定するための水栓用固定具であって、
第１挿入孔、第２挿入孔、第１ボルトが挿入される第１ボルト穴、及び、第２ボルトが挿入される第２ボルト穴が形成されると共に上記取付基体の取付面上で且つ取付基体の取付穴と対応するように配置され、水栓が固定されて、その水栓に連結された配管が挿入される配管挿入用開口部が形成された固定台座と、
第１貫通孔及び第２貫通孔が形成されると共に、上記取付基体の取付穴に表側である取付面側から挿入された後、上記固定台座と共に上記取付基体を挟み込み位置にて表裏両側から挟み込んで上記第１ボルト及び上記第２ボルトにより固定される挟み込み部材と、
上記第１挿入孔から挿入されて上記第１貫通孔を貫通した状態で上記挟み込み部材を保持すると共に、上記第２挿入孔から挿入されて上記第２貫通孔を貫通した状態で上記挟み込み部材を保持する連結部材であって、上記第１挿入孔と上記第２挿入孔との間の連結部材をつまんで引き上げることにより上記挟み込み部材を引き上げることができ、その引き上げた状態で上記固定台座と上記挟み込み部材が上記第１ボルトと上記第２ボルトにより上記取付基体に固定可能である上記連結部材と、
を有し、上記固定台座の配管挿入用開口部の周縁には、上記第１挿入孔と上記第２挿入孔との間の連結部材を格納する格納部が設けられていることを特徴とする水栓用固定具。
【請求項２】
水栓が取り付けられる取付基体に水栓を固定するための水栓用固定具であって、
第１挿入孔、第２挿入孔、第１ボルトが挿入される第１ボルト穴、及び、第２ボルトが挿入される第２ボルト穴が形成されると共に上記取付基体の取付面上で且つ取付基体の取付穴と対応するように配置され、水栓が固定されて、その水栓に連結された配管が挿入される配管挿入用開口部が形成された固定台座と、
第１貫通孔及び第２貫通孔が形成されると共に、上記取付基体の取付穴に表側である取付面側から挿入された後、上記固定台座と共に上記取付基体を挟み込み位置にて表裏両側から挟み込んで上記第１ボルト及び上記第２ボルトにより固定される挟み込み部材と、
上記第１挿入孔から挿入されて上記第１貫通孔を貫通した状態で上記挟み込み部材を保持すると共に、上記第２挿入孔から挿入されて上記第２貫通孔を貫通した状態で上記挟み込み部材を保持する連結部材であって、上記第１挿入孔と上記第２挿入孔との間の連結部材をつまんで引上げることにより上記挟み込み部材を引上げることができ、その引き上げた状態で上記固定台座と上記挟み込み部材が上記第１ボルトと上記第２ボルトにより上記取付基体に固定可能である上記連結部材と、
を有し、上記連結部材は、上記固定台座の配管挿入用開口部の周縁に沿って変形可能であることを特徴とする水栓用固定具。
【請求項３】
上記連結部材は帯状であり、上記第１挿入孔に挿入された状態で鉛直方向に移動可能な第１鉛直部と、上記第２挿入孔に挿入された状態で鉛直方向に移動可能な第２鉛直部と、これらの第１鉛直部と第２鉛直部を繋ぎ且つ上記固定台座の配管挿入用開口部の周縁に沿って変形可能な変形部と、を備えている請求項２記載の水栓用固定具。
【請求項４】
上記固定台座の第１挿入孔及び第２挿入孔は、上記第１ボルト穴及び上記第２ボルト穴の近傍にそれぞれ配置され、上記第１挿入孔と上記第２挿入孔の両中心軸間の距離は、上記第１ボルト穴と上記第２ボルト穴の両中心軸間の距離よりも長い請求項１又は請求項２に記載の水栓用固定具。
【請求項５】
上記格納部は、上記固定台座の第１ボルト穴と第２ボルト穴の中心軸を結ぶ直線よりも上記第１挿入孔及び上記第２挿入孔の側に位置する上記固定台座の配管挿入用開口部の周縁に沿って形成されている請求項１記載の水栓用固定具。
【請求項６】
給水された水を吐止水する水栓であって、
上記水栓は、請求項１乃至５の何れか１項に記載の水栓用固定具に取り付けられて取付基体の所定位置に固定されることを特徴とする水栓。
【発明の詳細な説明】
【技術分野】
【０００１】
本発明は、水栓用固定具、及び、水栓用固定具に取り付けられた水栓に係り、特に、水栓が取り付けられる洗面台や流し台等の取付基体に水栓を固定する水栓用固定具、及び、この水栓用固定具に取り付けられた水栓に関する。
【背景技術】
【０００２】
従来から、水栓が取り付けられる洗面台や流し台等の取付基体に水栓を固定する水栓用固定具としては、水栓に連結された配管が挿入される配管挿入用開口部が形成された固定台座から挟み込み部材（馬蹄金具）を柔軟な連結部材で吊り下げておき、挟み込み部材を取付穴から挿入した後に連結部材を引上げることによって挟み込み部材を引上げるものが知られている（例えば、特許文献１及び特許文献２参照）。
特に、特許文献１に記載されているものは、挟み込み部材と固定台座が伸縮可能な紐状部材で連結されており、この紐状部材が縮むことで、挟み込み部材がカウンター下面に押し付けられ、位置決めされ、その状態で挟み込み部材をねじで締め付けることにより、カウンターに固定具を固定するものである。
また、特許文献２に記載されているものは、挟み込み部材と固定台座が紐状部材で連結されており、挟み込み部材を引き上げ、カウンター下面に押し付けることにより位置決めし、挟み込み部材をねじで締め付けることにより、カウンターに固定具を固定するものである。
【０００３】
【特許文献１】特開２００５−９５０５号公報（第９頁〜第１５頁、第１図〜第１３図）
【特許文献２】特開２００２−２３５３４７号公報（第４頁〜第６頁、第１図〜第１４図）
【発明の開示】
【発明が解決しようとする課題】
【０００４】
しかしながら、上述した従来の水栓用固定具では、挟み込み部材は少なくとも２箇所で引き上げることが必要であり、これらを個別に引き上げると挟み込み部材が傾いたり、位置がずれたりするため施工が非常に面倒であるという問題がある。
このため、挟み込み部材を引き上げる連結部材は一体に引き上げられるように一本であることが必要であるが、挟み込み部材を引き上げた後の連結部材が、固定台座の配管挿入用開口部を横切るようになってしまい、配管挿入時に邪魔になるという問題がある。
また、配管挿入時に邪魔にならないようにするには、連結部材を切断するか、或いは連結部材を伸縮自在なものにする必要があり、再施工が困難であるという問題もある。
【０００５】
そこで、本発明は、上述した従来技術の問題を解決するためになされたものであり、連結部材を引き上げることにより、挟み込み部材が傾くことなく安定して引き上げることができる水栓用固定具、及び、この水栓用固定具に取り付けられた水栓を提供することを目的としている。
また、本発明は、水栓の配管作業時に連結部材が邪魔になることがなく、固定台座の配管挿入用開口部の内部を広く使うことができる水栓用固定具、及び、この水栓用固定具に取り付けられた水栓を提供することを目的としている。
【課題を解決するための手段】
【０００６】
上記の目的を達成するために、本発明は、水栓が取り付けられる取付基体に水栓を固定するための水栓用固定具であって、第１挿入孔、第２挿入孔、第１ボルトが挿入される第１ボルト穴、及び、第２ボルトが挿入される第２ボルト穴が形成されると共に上記取付基体の取付面上で且つ取付基体の取付穴と対応するように配置され、水栓が固定されて、その水栓に連結された配管が挿入される配管挿入用開口部が形成された固定台座と、第１貫通孔及び第２貫通孔が形成されると共に、上記取付基体の取付穴に表側である取付面側から挿入された後、上記固定台座と共に上記取付基体を挟み込み位置にて表裏両側から挟み込んで上記第１ボルト及び上記第２ボルトにより固定される挟み込み部材と、上記第１挿入孔から挿入されて上記第１貫通孔を貫通した状態で上記挟み込み部材を保持すると共に、上記第２挿入孔から挿入されて上記第２貫通孔を貫通した状態で上記挟み込み部材を保持する連結部材であって、上記第１挿入孔と上記第２挿入孔との間の連結部材をつまんで引き上げることにより上記挟み込み部材を引き上げることができ、その引き上げた状態で上記固定台座と上記挟み込み部材が上記第１ボルトと上記第２ボルトにより上記取付基体に固定可能である上記連結部材と、を有し、上記固定台座の配管挿入用開口部の周縁には、上記第１挿入孔と上記第２挿入孔との間の連結部材を格納する格納部が設けられていることを特徴としている。
このように構成された本発明においては、連結部材を引き上げることにより、挟み込み部材が傾くことなく安定して引き上げることができる。また、挟み込み部材を引き上げた後には、連結部材を格納部に格納しておくことにより、水栓の配管作業時に連結部材が邪魔になることがなく、固定台座の配管挿入用開口部の内部を広く使うことができる。さらに、連結部材が損傷するのを防ぐことができ、連結部材を格納部から取り出すことにより、再利用も可能となる。
【０００７】
本発明は、水栓が取り付けられる取付基体に水栓を固定するための水栓用固定具であって、第１挿入孔、第２挿入孔、第１ボルトが挿入される第１ボルト穴、及び、第２ボルトが挿入される第２ボルト穴が形成されると共に上記取付基体の取付面上で且つ取付基体の取付穴と対応するように配置され、水栓が固定されて、その水栓に連結された配管が挿入される配管挿入用開口部が形成された固定台座と、第１貫通孔及び第２貫通孔が形成されると共に、上記取付基体の取付穴に表側である取付面側から挿入された後、上記固定台座と共に上記取付基体を挟み込み位置にて表裏両側から挟み込んで上記第１ボルト及び上記第２ボルトにより固定される挟み込み部材と、上記第１挿入孔から挿入されて上記第１貫通孔を貫通した状態で上記挟み込み部材を保持すると共に、上記第２挿入孔から挿入されて上記第２貫通孔を貫通した状態で上記挟み込み部材を保持する連結部材であって、上記第１挿入孔と上記第２挿入孔との間の連結部材をつまんで引上げることにより上記挟み込み部材を引上げることができ、その引き上げた状態で上記固定台座と上記挟み込み部材が上記第１ボルトと上記第２ボルトにより上記取付基体に固定可能である上記連結部材と、を有し、上記連結部材は、上記固定台座の配管挿入用開口部の周縁に沿って変形可能であることを特徴としている。
このように構成された本発明においては、連結部材を引き上げることにより、挟み込み部材が傾くことなく安定して引き上げることができる。また、挟み込み部材を引き上げた後の連結部材は、固定台座の配管挿入用開口部の周縁に沿って変形可能であるため、水栓の配管作業時に連結部材が邪魔になることがなく、固定台座の配管挿入用開口部の内部を広く使うことができる。さらに、連結部材が損傷するのを防ぐことができる。
【０００８】
本発明において、好ましくは、上記連結部材は帯状であり、上記第１挿入孔に挿入された状態で鉛直方向に移動可能な第１鉛直部と、上記第２挿入孔に挿入された状態で鉛直方向に移動可能な第２鉛直部と、これらの第１鉛直部と第２鉛直部を繋ぎ且つ上記固定台座の配管挿入用開口部の周縁に沿って変形可能な変形部と、を備えている。
このように構成された本発明においては、連結部材が帯状の部材であるため、紐のように形がくずれやすい材質とは異なり、ある程度の強度をもたせて連結部材の形状を維持することができる。このため、挟みこみ部材を引き上げて第１ボルトと第２ボルトで固定した後に、連結部材を押し下げる操作がしやすい。また、連結部材の変形部をつまんで引き上げることにより、連結部材をバランスよく引き上げることができる。
【０００９】
本発明において、好ましくは、上記固定台座の第１挿入孔及び第２挿入孔は、上記第１ボルト穴及び上記第２ボルト穴の近傍にそれぞれ配置され、上記第１挿入孔と上記第２挿入孔の両中心軸間の距離は、上記第１ボルト穴と上記第２ボルト穴の両中心軸間の距離よりも長い。
このように構成された本発明においては、固定台座の第１挿入孔と第２挿入孔に挿入した状態の連結部材が挟み込み部材の前後のバランスを保つことができ、第１ボルト及び第２ボルトを第１ボルト穴及び第２ボルト穴のそれぞれに挿入して締め付ける際に位置ずれが少なくなる、したがって、バランスが取れた状態で第１ボルト及び第２ボルトを均等に締め付けることができ、施工がしやすい。
【００１０】
本発明において、好ましくは、上記格納部は、上記固定台座の第１ボルト穴と第２ボルト穴の中心軸を結ぶ直線よりも上記第１挿入孔及び上記第２挿入孔の側に位置する上記固定台座の配管挿入用開口部の周縁に沿って形成されている。
このように構成された本発明においては、連結部材が格納部側に位置するため、第１ボルト穴と第２ボルト穴におけるボルト締め込み作業時に邪魔にならずに作業性が良い。
【００１１】
本発明は、給水された水を吐止水する水栓であって、上記水栓は、上記水栓用固定具に取り付けられて取付基体の所定位置に固定されることを特徴としている。
このように構成された本発明の水栓においては、水栓を水栓用固定具に取り付けることにより取付基体の所定位置に確実に固定することができる。
【発明の効果】
【００１２】
本発明の水栓用固定具、及び、この水栓用固定具に取り付けられた水栓によれば、連結部材を引き上げることにより、挟み込み部材が傾くことなく安定して引き上げることができる。また、水栓の配管作業時に連結部材が邪魔になることがなく、固定台座の配管挿入用開口部の内部を広く使うことができる。
【発明を実施するための最良の形態】
【００１３】
以下、添付図面を参照して本発明の水栓用固定具、及び、この水栓用固定具に取り付けられた水栓の実施形態について説明する。
図１は、本発明の第１実施形態による水栓用固定具とこの水栓用固定具に取り付けられた水栓を示す概略図である。また、図２は本発明の第１実施形態による水栓用固定具を斜め後方から見た斜視図であり、図３は本発明の第１実施形態による水栓用固定具の平面図である。
図１〜図３に示すように、本実施形態の水栓用固定具１は、水栓２が取り付けられる取付基体である流し台等のカウンター４に水栓２を固定するものである。この水栓用固定具１は、固定台座６、挟み込み部材８、２本のボルト１０，１２、及び、連結部材１４を備えている。
【００１４】
まず、固定台座６は、カウンター４の表側取付面４ａ上に配置されて水栓２の接続部２ａが接続されるものである。この固定台座６には、詳細は後述する連結部材１４の第１鉛直部１４ａ及び第２鉛直部１４ｂがそれぞれ挿入される第１挿入孔６ａ及び第２挿入孔６ｂが形成されている。
また、固定台座６の第１挿入孔６ａ及び第２挿入孔６ｂのそれぞれに隣接した箇所には、第１ボルト１０が挿入される第１ボルト穴６ｃ、及び、第２ボルト１２が挿入される第２ボルト穴６ｄがそれぞれ形成されている。言い換えると、固定台座６の第１挿入孔６ａ及び第２挿入孔６ｂは、第１ボルト穴６ｃ及び第２ボルト穴６ｄの近傍にそれぞれ配置されている。また、第１挿入孔６ａと第２挿入孔６ｂの両中心軸Ｐ，Ｑ間の距離Ｌ１は、第１ボルト穴６ｃと第２ボルト穴６ｄの両中心軸Ｒ，Ｓ間の距離Ｌ２よりも長くなっている（図３参照）。
さらに、固定台座６の中央部には、水栓２に連結された複数の配管２ｂが挿入される配管挿入用開口部６ｅが形成されている。この配管挿入用開口部６ｅは、カウンター４の取付面上４ａで且つカウンター４の取付穴４ｂ（図１参照）と対応するように配置されている。
【００１５】
また、固定台座６の第１挿入孔６ａから配管挿入用開口部６ｅの内周縁に沿って右回りに第２挿入孔６ｂにかけて段部が形成され、この段部は、詳細は後述する連結部材１４の第１鉛直部１４ａの上端部と第２鉛直部１４ｂの上端部を繋ぐ変形部１４ｃが格納される格納部６ｆを形成している。言い換えると、格納部６ｆは、固定台座６の第１ボルト穴６ｃと第２ボルト穴６ｄの両中心軸Ｒ，Ｓを結ぶ直線ＲＳよりも第１挿入孔６ａ及び第２挿入孔６ｂの側に位置する固定台座６の配管挿入用開口部６ｅを形成する内周縁に沿って形成されている（図３参照）
さらに、連結部材１４の変形部１４ｃが固定台座６の格納部６ｆに格納されている状態では、連結部材１４の変形部１４ｃがほぼ円弧状に弾性変形した状態になっており、連結部材１４の変形部１４ｃの内周面と、その下方に形成されている配管挿入用開口部６ｅの内周面とがほぼ面一となっている。
【００１６】
つぎに、図１〜図３と共に図４〜図８を参照して、挟み込み部材８及び連結部材１４の詳細について説明する。
まず、図４は、本実施形態の水栓用取付具の挟み込み部材をカウンターの取付穴に挿入する前の状態を示す斜視図である。つぎに、図５は本実施形態の水栓用取付具の挟み込み部材をカウンターの取付穴に挿入した後、連結部材を引き上げる前の状態を示す斜視図である。また、図６は本実施形態の水栓用取付具の挟み込み部材をカウンターの取付穴に挿入した後、連結部材を引き上げた後の状態を示す斜め上方から見た斜視図であり、図７は本実施形態の水栓用取付具の挟み込み部材をカウンターの取付穴に挿入した後、連結部材を引き上げた後の状態を示す斜め下方から見た斜視図である。さらに、図８は本実施形態の水栓用取付具に組み込む前の連結部材を示す斜視図である。
【００１７】
挟み込み部材８は、カウンター４の取付穴４ｂの大きさよりも大きな馬蹄形状の部材である。この挟み込み部材８には、固定台座６の第１挿入孔６ａ及び第２挿入孔６ｂのそれぞれに対応する第１貫通孔８ａ及び第２貫通孔８ｂが形成されている。貫通孔８ａ，８ｂのぞれぞれに挿入された連結部材１４の第１鉛直部１４ａ及び第２鉛直部１４ｂのそれぞれは、連結部材１４の変形部１４ｃをつまんで鉛直方向に移動させることにより、鉛直方向に移動可能になっている。
また、挟み込み部材８は、図４に示すようにカウンター４の取付穴４ｂに挿入された後、図５に示すように所定の位置に位置決めされるようになっている。この所定の位置に位置決めされた状態の挟み込み部材８は、連結部材１４の第１鉛直部１４ａ及び第２鉛直部１４ｂの両下端部に設けられたストッパー１４ｄ，１４ｅで落下しないように保持されている。
さらに、挟み込み部材８には、固定台座６の第１ボルト穴６ｃ及び第２ボルト穴６ｄのそれぞれに対応する第１ボルト穴８ｃ及び第２ボルト穴８ｄが形成されており、カウンター４の取付穴４ｂに挿入された後、所定の位置に位置決めされた状態の挟み込み部材８の第１ボルト穴８ｃ及び第２ボルト穴８ｄのそれぞれは、固定台座６の第１ボルト穴６ｃ及び第２ボルト穴６ｄのそれぞれと対向した状態になっている。
【００１８】
また、図６及び図７に示すように、カウンター４の取付穴４ｂに挿入されて所定の位置に位置決めされた挟み込み部材８は、図５に示す状態の連結部材１４の変形部１４ｃを固定台座６の格納部６ｆから取り出してつまんで引き上げることにより、挟み込み部材８が連結部材１４のストッパー１４ｄ，１４ｅにより保持されながらカウンター４の裏側取付面４ｃまで引き上げられるようになっている。すなわち、カウンター４の裏側取付面４ｃまで引き上げられた挟み込み部材８は、カウンター４の表側取付面４ａ上に配置された固定台座６と共にカウンタ４を挟み込むようになっている。最終的には、挟み込み部材８は、図２に示すように、固定台座６の第１ボルト穴６ｃ及び第２ボルト穴６ｄに挿入された第１ボルト１０及び第２ボルト１２により第１ボルト穴８ｃ及び第２ボルト穴８ｄのそれぞれに締結されて固定されるようになっている。
さらに、固定台座６と挟み込み部材８が第１ボルト１０及び第２ボルト１２によりカウンター４に固定されると、連結部材１４の変形部１４ｃが固定台座６の格納部６ｆに格納されるように下方に押し下げられ、連結部材１４の第１鉛直部１４ａ、第２鉛直部１４ｂ、及び、ストッパー１４ｄ，１４ｅが下方に移動されるようになっている。
【００１９】
図８は水栓用取付具１に組み込む前の連結部材１４を示しているが、この連結部材１４は帯状であり、弾性に富んだ樹脂製の材料で形成されている。また、連結部材１４は、固定台座６の第１挿入孔６ａに挿入された状態で鉛直方向に移動可能な第１鉛直部１４ａと、固定台座６の第２挿入孔６ｂに挿入された状態で鉛直方向に移動可能な第２鉛直部１４ｂと、これらの第１鉛直部１４ａと第２鉛直部１４ｂを繋ぎ且つ固定台座６の配管挿入用開口部６ｅの内周縁に沿って変形可能な変形部１４ｃとを備えている。
より具体的には、水栓用取付具１に組み込む前の状態における連結部材１４の変形部１４ｃは、図８に示すように、まっすぐな状態である。しかしながら、連結部材１４の第１鉛直部１４ａ及び第２鉛直部１４ｂのそれぞれを固定台座６の第１挿入孔６ａ及び第２挿入孔６ｂに挿入された状態で連結部材１４の変形部１４ｃは弾性的に曲げられて変形可能となっており、特に、連結部材１４の変形部１４ｃが固定台座６の格納部６ｆに格納されている状態では格納部６ｆの内周縁に沿うように弾性的に曲げられた状態となっている（図２〜図５参照）。
【００２０】
上述した本発明の第１実施形態による水栓用固定具１によれば、水栓用固定具１をカウンター４に取り付ける施工中、最初に挟み込み部材８をカウンター４の取付穴４ｂに挿入して所定の位置に位置決めした後、連結部材１４の変形部１４ｃをつまんで引き上げることにより、挟み込み部材８が傾くことなく安定して引き上げることができる。
また、挟み込み部材８を連結部材１４でカウンター４の裏側取付面４ｃまで引き上げ、固定台座６と挟み込み部材８が第１ボルト１０及び第２ボルト１２によりカウンター４に固定された後には、連結部材１４の変形部１４ｃが下方に押し下げられ、固定台座６の格納部６ｆに格納されるように格納部６ｆの内周縁に沿うように弾性的に曲げられて変形可能であるため、水栓２の配管作業時に連結部材１４が全く邪魔になることがなく、固定台座６の配管挿入用開口部６ｅの内部を広く使うことができる。さらに、配管作業時に連結部材１４が固定台座６の配管挿入用開口部６ｅを横切る障害物となって損傷するのを防ぐことができ、連結部材１４の変形部１４ｃを固定台座６の格納部６ｆから取り出すことにより、再利用も可能となる。
【００２１】
また、本実施形態の水栓用固定具１によれば、連結部材１４が帯状の部材であり、弾性に富んだ樹脂製の材料で形成されているため、紐のように形がくずれやすい材質とは異なり、ある程度の強度をもたせて連結部材１４の形状を維持することができる。このため、挟みこみ部材８をカウンター４の裏側取付面４ｃまで引き上げて第１ボルト１０と第２ボルト１２でカウンター４に固定した後は、連結部材１４を格納部６ｆまで押し下げる操作がしやすい。また、連結部材１４の変形部１４ｃをつまんで引き上げると、連結部材１４をバランスよく引き上げることができる。
【００２２】
さらに、本実施形態の水栓用固定具１によれば、固定台座６の第１挿入孔６ａと第２挿入孔６ｂの両中心軸Ｐ，Ｑ間の距離Ｌ１は、固定台座６の第１ボルト穴６ｃと第２ボルト穴６ｄの両中心軸Ｒ，Ｓ間の距離Ｌ２よりも長くなっているため、連結部材１４の第１鉛直部１４ａ及び第２鉛直部１４ｂのそれぞれを固定台座６の第１挿入孔６ａ及び第２挿入孔６ｂと挟み込み部材８の第１貫通孔８ａ及び第２貫通孔８ｂにそれぞれ挿入した状態では、連結部材１４が挟み込み部材８の前後のバランスを保つことができ、第１ボルト１０及び第２ボルト１２を固定台座６の第１ボルト穴６ｃ及び第２ボルト穴６ｄと挟み込み部材８の第１ボルト穴８ｃ及び第２ボルト穴８ｄのそれぞれに挿入して締め付ける際に位置ずれが少なくなる、したがって、バランスが取れた状態で第１ボルト１０及び第２ボルト１２を均等に締め付けることができ、施工がしやすい。
【００２３】
また、本実施形態の水栓用固定具１によれば、固定台座６の格納部６ｆが、固定台座６の第１ボルト穴６ｃと第２ボルト穴６ｄの両中心軸Ｒ，Ｓを結ぶ直線ＲＳよりも第１挿入孔６ａ及び第２挿入孔６ｂの側に位置する固定台座６の配管挿入用開口部６ｅの内周縁に沿って形成されているため、固定台座６の６ｃ及び第２ボルト穴６ｄにおけるボルト締め込み作業時に邪魔にならずに作業性が良い。
【００２４】
つぎに、本発明の第２実施形態による水栓用固定具について説明する。
図９は、本発明の第２実施形態の水栓用固定具を示す斜視図である。ここで、図９において、上述した第１実施形態の水栓固定具の部分と同一の部分については、同一の符号を付し、これらの説明は省略する。
図９に示すように、本実施形態の水栓用固定具２０においては、第１実施形態における連結部材１４の変形部１４ｃが格納される格納部６ｆに相当する格納部２２が、固定台座６の配管挿入用開口部６ｅを形成する外周縁に沿って形成されている点で第１実施形態の水栓用固定具１の構成と異なっている。
【００２５】
本実施形態の水栓用固定具２０によれば、第１実施形態と同様に、挟み込み部材８を連結部材１４でカウンター４の裏側取付面４ｃまで安定して引き上げることができる。また、固定台座６と挟み込み部材８が第１ボルト１０及び第２ボルト１２によりカウンター４に固定された後には、連結部材１４の変形部１４ｃが下方に押し下げられ、固定台座６の格納部２２に格納されるように格納部２２の外周縁に沿うように弾性的に曲げられて変形可能であるため、水栓２の配管作業時に連結部材１４が全く邪魔になることがなく、固定台座６の配管挿入用開口部６ｅの内部を広く使うことができる。
【００２６】
つぎに、本発明の第３実施形態による水栓用固定具について説明する。
図１０は、本発明の第３実施形態の水栓用固定具を示す斜視図である。ここで、図１０において、上述した第１実施形態及び第２実施形態の水栓固定具の部分と同一の部分については、同一の符号を付し、これらの説明は省略する。
図１０に示すように、本実施形態の水栓用固定具３０においては、連結部材３２の全体が第１実施形態における連結部材１４よりも柔軟に変形可能な紐状の部材から形成されており、この連結部材３２が、固定台座６の配管挿入用開口部６ｅの外周縁に沿って形成された溝状の格納部３４に格納されている点で第１実施形態及び第２実施形態の水栓用固定具１，２０の構成と異なっている。
【００２７】
本実施形態の水栓用固定具３０によれば、挟み込み部材８を連結部材３２でカウンター４の裏側取付面４ｃまで安定して引き上げることができる。また、固定台座６と挟み込み部材８が第１ボルト１０及び第２ボルト１２によりカウンター４に固定された後には、連結部材３２が固定台座６の溝状の格納部３４に格納されて格納部３４の外周縁に沿うように弾性的に曲げられて変形可能であるため、水栓２の配管作業時に連結部材３２が全く邪魔になることがなく、固定台座６の配管挿入用開口部６ｅの内部を広く使うことができる。
【００２８】
つぎに、本発明の第４実施形態による水栓用固定具について説明する。
図１１は、本発明の第４実施形態の水栓用固定具を示す斜視図である。ここで、図１１において、上述した第１〜第３実施形態の水栓固定具の部分と同一の部分については、同一の符号を付し、これらの説明は省略する。
図１１に示すように、本実施形態の水栓用固定具４０においては、固定台座６には連結部材４２を格納する格納部が設けられておらず、連結部材４２の第１鉛直部１４ａ及び第２鉛直部１４ｂを繋ぐ変形部４２ａ自体が、固定台座６の配管挿入用開口部６ｅの周縁の一部を形成している点で第１〜第３実施形態の水栓用固定具１，２０，３０の構成と異なっている。この変形部４２ａの固定台座６への取付前の形状は、前述の変形部１４ａと同様にまっすぐな状態である。この連絡部材４２も連結部材１４と同様に、第１鉛直部１４ａ及び第２鉛直部１４ｂのそれぞれを固定台座６の第１挿入孔６ａ及び第２挿入孔６ｂに挿入された状態では、変形部４２ａが弾性的に曲げられることになる。
【００２９】
本実施形態の水栓用固定具４０によれば、挟み込み部材８を連結部材４２でカウンター４の裏側取付面４ｃまで安定して引き上げることができる。また、固定台座６と挟み込み部材８が第１ボルト１０及び第２ボルト１２によりカウンター４に固定された後には、連結部材４２が固定台座６の配管挿入用開口部６ｅの周縁の一部を形成するため、水栓２の配管作業時に連結部材４２が全く邪魔になることがなく、固定台座６の配管挿入用開口部６ｅの内部を広く使うことができる。
【図面の簡単な説明】
【００３０】
【図１】本発明の第１実施形態による水栓用固定具とこの水栓用固定具に取り付けられた水栓を示す概略図である。
【図２】本発明の第１実施形態の水栓用固定具を斜め後方より見た斜視図である。
【図３】本発明の第１実施形態の水栓用固定具の平面図である。
【図４】本発明の第１実施形態の水栓用取付具の挟み込み部材をカウンターの取付穴に挿入する前の状態を示す斜視図である。
【図５】本発明の第１実施形態の水栓用取付具の挟み込み部材をカウンターの取付穴に挿入した後、連結部材を引き上げる前の状態を示す斜視図である。
【図６】本発明の第１実施形態の水栓用取付具の挟み込み部材をカウンターの取付穴に挿入した後、連結部材を引き上げた後の状態を示す斜め上方から見た斜視図である。
【図７】本発明の第１実施形態の水栓用取付具の挟み込み部材をカウンターの取付穴に挿入した後、連結部材を引き上げた後の状態を示す斜め下方から見た斜視図である。
【図８】本発明の第１実施形態の水栓用取付具に組み込む前の連結部材を示す斜視図である。
【図９】本発明の第２実施形態の水栓用固定具を示す斜視図である。
【図１０】本発明の第３実施形態の水栓用固定具を示す斜視図である。
【図１１】本発明の第４実施形態の水栓用固定具を示す斜視図である。
【符号の説明】
【００３１】
１，２０，３０，４０  水栓用固定具
２  水栓
４  カウンター
４ａ  カウンターの表側取付面
４ｂ  カウンターの取付穴
４ｃ  カウンターの裏側取付面
６  固定台座
６ａ  第１挿入孔
６ｂ  第２挿入孔
６ｃ  第１ボルト穴
６ｄ  第２ボルト穴
６ｅ  配管挿入用開口部
６ｆ，２２，３４  格納部
８  挟み込み部材
８ａ  第１貫通孔
８ｂ  第２貫通孔
８ｃ  第１ボルト穴
８ｄ  第２ボルト穴
１０  第１ボルト
１２  第２ボルト
１４，３２，４２  連結部材
１４ａ  第１鉛直部
１４ｂ  第２鉛直部
１４ｃ  変形部
１４ｄ，１４ｅ  ストッパー
【図１】
2010013852.tif 000003
【図２】
2010013852.tif 000004
【図３】
2010013852.tif 000005
【図４】
2010013852.tif 000006
【図５】
2010013852.tif 000007
【図６】
2010013852.tif 000008
【図７】
2010013852.tif 000009
【図８】
2010013852.tif 000010
【図９】
2010013852.tif 000011
【図１０】
2010013852.tif 000012
【図１１】
2010013852.tif 000013